(57)【要約】【課題】  読取条件を外部の装置から設定すること。【解決手段】  ＭＦＰは、与えられた読取条件に従って、原稿を読取り画像データを出力するスキャナと、外部の装置と通信回線を介して通信する通信部と、ユーザによる指示の入力を受付ける操作パネルと、スキャナ、通信部および操作パネルを制御する制御部とを備え、制御部は、通信部によりユーザ用コンピュータから読取条件を含む電子メールが受信されると（ステップＳ０１）、操作パネルが備えるワンタッチキーと受信された読取条件とを関連付ける（ステップＳ０６）。【選択図】        図７
2005286563.tif 000002
【特許請求の範囲】
【請求項１】
与えられた読取条件に従って、原稿を読取り画像データを出力する読取手段と、
外部の装置と通信回線を介して通信する通信手段と、
ユーザによる指示の入力を受付けるユーザインターフェース手段と、
前記読取手段、前記通信手段および前記ユーザインターフェース手段を制御する制御手段とを備え、
前記制御手段は、前記通信手段により外部の装置から読取条件が受信されると、前記ユーザインターフェース手段が備えるワンタッチキーと前記受信された読取条件とを関連付ける関連付手段を含む、画像読取装置。
【請求項２】
前記通信手段は、電子メールを受信する電子メール受信手段を含み、
前記制御手段は、前記電子メール受信手段により読取条件が記述された電子メールが受信された場合、該電子メールを解析して読取条件を抽出する電子メール解析手段をさらに含む、請求項１に記載の画像読取装置。
【請求項３】
与えられた読取条件に従って、原稿を読取り画像データを出力する読取手段と、
ユーザによる指示の入力を受付けるユーザインターフェース手段と、
電子メールを送受信する電子メール送受信手段と、
前記読取手段、前記ユーザインターフェース手段および前記電子メール送受信手段を制御する制御手段とを備え、
前記制御手段は、読取条件と送信先アドレスとを設定する設定手段と、
前記設定手段により設定された読取条件を前記読取手段に与えて前記読取手段に画像データを出力させる読取指示手段と、
前記読取手段に与えた読取条件を本文とし、前記読取手段が出力する画像データを添付ファイルとし、前記設定手段により設定された送信先アドレスを送信先とする電子メールを生成して前記電子メール送受信手段に出力する電子メール生成手段とを備えた、画像読取装置。
【請求項４】
前記制御手段は、前記電子メール生成手段が生成した電子メールに対応する返信メールが受信された場合、前記受信された返信メールを解析して読取条件を抽出する電子メール解析手段と、
前記ユーザインターフェース手段が備えるワンタッチキーと前記返信メールから抽出された読取条件とを関連付ける関連付手段とをさらに含む、請求項３に記載の画像読取装置。
【請求項５】
前記設定手段は、前記ユーザインターフェース手段により入力された読取条件および送信先アドレスを設定する、請求項３に記載の画像読取装置。
【請求項６】
前記電子メール解析手段は、前記電子メール送受信手段により読取条件が記述された設定用の電子メールが受信された場合、該設定用の電子メールを解析して読取条件および送信先アドレスを抽出し、
前記設定手段は、前記電子メール解析手段により前記設定用の電子メールから抽出された読取条件および送信先アドレスを設定する、請求項４に記載の画像読取装置。
【請求項７】
前記ユーザインターフェース手段は、所定の情報を表示する表示手段を含み、
前記制御手段は、前記関連付手段により読取条件が関連付けられたワンタッチキーの指示が入力されたことに応じて、前記電子メール送受信手段により受信された読取条件を前記表示手段に表示させる表示制御手段とをさらに含む、請求項４に記載の画像読取装置。
【請求項８】
前記制御手段は、前記関連付手段により読取条件が関連付けられたワンタッチキーの指示が入力された場合、前記指示されたワンタッチキーに関連付けされた読取条件を前記読取手段に与える読取条件付与手段を含む、請求項４に記載の画像読取装置。
【請求項９】
ユーザを認証するための認証情報を予め記憶しておく認証情報記憶手段をさらに備え、
前記制御部は、前記ユーザインターフェース手段により入力された認証情報が前記認証情報記憶手段に記憶されていることを条件として、前記関連付手段に関連付けさせる、請求項４に記載の画像読取装置。
【請求項１０】
与えられた読取条件に従って、原稿を読取り画像データを出力する読取手段と、外部の装置と通信回線を介して通信する通信手段と、ユーザによる指示の入力を受付けるユーザインターフェース手段とを備えた画像読取装置を制御するための制御プログラムであって、
前記通信手段により外部の装置から読取条件を受信するステップと、
前記ユーザインターフェース手段が備えるワンタッチキーと前記受信された読取条件とを関連付けるステップを前記画像読取装置に実行させる、制御プログラム。
【請求項１１】
与えられた読取条件に従って、原稿を読取り画像データを出力する読取手段と、外部の装置と通信回線を介して通信する通信手段と、ユーザによる指示の入力を受付けるユーザインターフェース手段とを備えた画像読取装置を制御するための制御方法であって、
前記通信手段により外部の装置から読取条件を受信するステップと、
前記ユーザインターフェース手段が備えるワンタッチキーと前記受信された読取条件とを関連付けるステップを前記画像読取装置に実行させる、制御方法。
【発明の詳細な説明】
【技術分野】
【０００１】
この発明は、画像読取装置、それを制御するための制御プログラムおよび制御方法に関し、特に、原稿を読取り画像データを出力する画像読取装置、それを制御するための制御プログラムおよび制御方法に関する。
【背景技術】
【０００２】
原稿を光学的に読取り画像データを出力するスキャナが知られている。このスキャナは、解像度、読取濃度、読取サイズなどの読取条件を変更することが可能となっている。この読取条件は、ユーザによって、または、読取る原稿によって異なるため、原稿を読取るごとに設定しなければならない。通常は、ユーザがスキャナに原稿を読取らせる前に、スキャナが有する操作ボタンを操作することにより読取条件が設定される。
【０００３】
しかしながら、ユーザがスキャナの操作ボタンから読取条件を直接入力する場合には、その間そのユーザがスキャナを占有してしまうことになる。読取条件を設定している間は、読取動作を実行できないために、スキャナの稼働率が低下する。
【０００４】
また、プリントシステムではあるが、遠隔操作で印字条件を設定する技術が特開平１０−２０７６７０号公報に記載されている。特開平１０−２０７６７０号公報には、ネットワークを介して電子メールを送信する電子メール送信手段を備えた電子メール端末、及びネットワークを介して印字データを受信する印字データ受信手段を備えた印字データ受信端末からなるプリントシステムにおいて、電子メール端末には、印字データ受信端末が解釈できるコマンドを記載した電子メールを作成する電子メール作成手段を備え、印字データ受信端末には、電子メール作成手段によって作成された電子メールを受信する電子メール受信手段と、電子メール受信手段で受信した電子メール内のコマンドを解釈するコマンド解釈手段と、コマンドに基づいて、印字するための条件設定制御を行う制御手段とを備えたプリントシステムが記載されている。
【特許文献１】特開平１０−２０７６７０号公報
【発明の開示】
【発明が解決しようとする課題】
【０００５】
しかしながら、スキャナを使用する場合、原稿をスキャナにセットする必要があることから、ユーザがスキャナの設置された場所に移動する。このため、遠隔操作でスキャナの読取条件を設定すると、読取条件が設定されてから原稿をセットするまで、他の原稿を読取ることができない。他の原稿を読取るために読取条件を変更すると、遠隔操作で設定した読取条件が無駄になってしまうからである。
【０００６】
また、スキャナで読取った画像データは、電子データであるため視覚で画質を判断することができない。このため、印刷装置で印刷するか、またはディスプレイに表示しなければ、画像データが所望の画質であるか否かを判断することができない。スキャナが印刷装置を有していれば、印刷すればその場で画質を評価することができるが、印刷した後に、ユーザが先に設定した読取条件を忘れてしまう場合がある。
【０００７】
この発明は上述した問題点を解決するためになされたもので、この発明の目的の一つは、読取条件を外部の装置から設定することが可能な画像読取装置を提供することである。
【０００８】
この発明の他の目的は、読取条件の設定を容易にした画像読取装置を提供することである。
【課題を解決するための手段】
【０００９】
上述した目的を達成するためにこの発明のある局面によれば、画像読取装置は、与えられた読取条件に従って、原稿を読取り画像データを出力する読取手段と、外部の装置と通信回線を介して通信する通信手段と、ユーザによる指示の入力を受付けるユーザインターフェース手段と、読取手段、通信手段およびユーザインターフェース手段を制御する制御手段とを備え、制御手段は、通信手段により外部の装置から読取条件が受信されると、ユーザインターフェース手段が備えるワンタッチキーと受信された読取条件とを関連付ける関連付手段を含む。
【００１０】
この発明に従えば、外部の装置から読取条件が受信されると、ワンタッチキーと受信された読取条件とが関連付けられる。このため、読取条件を外部の装置から設定することが可能な画像読取装置を提供することができる。
【００１１】
好ましくは、通信手段は、電子メールを受信する電子メール受信手段を含み、制御手段は、電子メール受信手段により読取条件が記述された電子メールが受信された場合、該電子メールを解析して読取条件を抽出する電子メール解析手段をさらに含む。
【００１２】
この発明に従えば、読取条件が記述された電子メールが受信された場合、その電子メールから読取条件が抽出される。このため、外部の装置では、電子メールを送信するだけでよいので、外部の装置に特別なプログラムをインストールしておく必要がない。その結果、画像読取装置に読取条件を容易に設定することができる。
【００１３】
この発明の他の局面によれば、画象読取装置は、与えられた読取条件に従って、原稿を読取り画像データを出力する読取手段と、ユーザによる指示の入力を受付けるユーザインターフェース手段と、電子メールを送受信する電子メール送受信手段と、読取手段、ユーザインターフェース手段および電子メール送受信手段を制御する制御手段とを備え、制御手段は、読取条件と送信先アドレスとを設定する設定手段と、設定手段により設定された読取条件を読取手段に与えて読取手段に画像データを出力させる読取指示手段と、読取手段に与えた読取条件を本文とし、読取手段が出力する画像データを添付ファイルとし、設定手段により設定された送信先アドレスを送信先とする電子メールを生成して電子メール送受信手段に出力する電子メール生成手段とを備える。
【００１４】
この発明に従えば、設定された読取条件で原稿が読取られると、読取条件を本文とし、画像データを添付ファイルとし、設定された送信先アドレスを送信先とする電子メールが生成されて送信される。このため、画像データと読取条件とが電子メールで送信されるので、ユーザは、画像データを見て読取条件を評価することができる。その結果、読取条件の設定を容易にした画像読取装置を提供することができる。
【００１５】
好ましくは、制御手段は、電子メール生成手段が生成した電子メールに対応する返信メールが受信された場合、受信された返信メールを解析して読取条件を抽出する電子メール解析手段と、ユーザインターフェース手段が備えるワンタッチキーと返信メールから抽出された読取条件とを関連付ける関連付手段とをさらに含む。
【００１６】
この発明に従えば、ワンタッチキーと返信メールから抽出された読取条件とが関連付けられるので、先の読取条件で読取った画像データを見たユーザが変更した読取条件を外部の装置から設定することができる。
【００１７】
好ましくは、設定手段は、ユーザインターフェース手段により入力された読取条件および送信先アドレスを設定する。
【００１８】
好ましくは、電子メール解析手段は、電子メール送受信手段により読取条件が記述された設定用の電子メールが受信された場合、該設定用の電子メールを解析して読取条件および送信先アドレスを抽出し、設定手段は、電子メール解析手段により設定用の電子メールから抽出された読取条件および送信先アドレスを設定する。
【００１９】
この発明に従えば、設定用の電子メールから抽出された読取条件で読取られ、送信先アドレスに読取条件と画像データが送信される。このため、外部の装置から読取り条件を設定することができるとともに、外部の装置に読取条件と画像データとを送信することができる。
【００２０】
好ましくは、ユーザインターフェース手段は、所定の情報を表示する表示手段を含み、制御手段は、関連付手段により読取条件が関連付けられたワンタッチキーの指示が入力されたことに応じて、電子メール送受信手段により受信された読取条件を表示手段に表示させる表示制御手段とをさらに含む。
【００２１】
この発明に従えば、ワンタッチキーの指示が入力されたことに応じて、受信された読取条件が表示される。このため、ユーザは、画面で読取条件を確認することができる。
【００２２】
好ましくは、制御手段は、関連付手段により読取条件が関連付けられたワンタッチキーの指示が入力された場合、指示されたワンタッチキーに関連付けされた読取条件を読取手段に与える読取条件付与手段を含む。
【００２３】
この発明に従えば、読取条件が関連付けられたワンタッチキーの指示が入力された場合、そのワンタッチキーに関連付けされた読取条件が設定される。このため、所望の読取条件で原稿を読取らせることができる。
【００２４】
好ましくは、ユーザを認証するための認証情報を予め記憶しておく認証情報記憶手段をさらに備え、制御部は、ユーザインターフェース手段により入力された認証情報が認証情報記憶手段に記憶されていることを条件として、関連付手段に関連付けさせる。
【００２５】
この発明に従えば、入力された認証情報が予め記憶された認証情報であることを条件として、ワンタッチキーと読取条件とが関連付けられる。その結果、ユーザ個々に読取条件を設定することができる。
【００２６】
この発明の他の局面に従えば、与えられた読取条件に従って、原稿を読取り画像データを出力する読取手段と、外部の装置と通信回線を介して通信する通信手段と、ユーザによる指示の入力を受付けるユーザインターフェース手段とを備えた画像読取装置を制御するための制御プログラムは、通信手段により外部の装置から読取条件を受信するステップと、ユーザインターフェース手段が備えるワンタッチキーと受信された読取条件とを関連付けるステップとを画像読取装置に実行させる。
【００２７】
この発明に従えば、読取条件を外部の装置から設定することが可能な画像読取装置の制御プログラムを提供することができる。
【００２８】
この発明のさらに他の局面によれば、与えられた読取条件に従って、原稿を読取り画像データを出力する読取手段と、外部の装置と通信回線を介して通信する通信手段と、ユーザによる指示の入力を受付けるユーザインターフェース手段とを備えた画像読取装置を制御するための制御方法であって、通信手段により外部の装置から読取条件を受信するステップと、ユーザインターフェース手段が備えるワンタッチキーと受信された読取条件とを関連付けるステップを画像読取装置に実行させる。
【００２９】
この発明に従えば、読取条件を外部の装置から設定することが可能な画像読取装置の制御方法を提供することができる。
【発明を実施するための最良の形態】
【００３０】
以下、図面を参照しつつ本発明の実施の形態について説明する。以下の説明では、同一の部品には同一の符号を付してある。それらの名称および機能も同じである。したがってそれらについての詳細な説明は繰返さない。
【００３１】
図１は、本発明の実施の形態の１つにおける画像読取システムの全体概要を示す図である。図１を参照して、画像読取システム１０は、ネットワーク３にそれぞれ接続された複合機１（以下、「ＭＦＰ１」という）と、メールサーバ２と、ユーザ用コンピュータ４とを含む。ユーザ用コンピュータ４は、一般的なパーソナルコンピュータである。図では、ＭＦＰ１と、メールサーバ２と、ユーザ用コンピュータ４とを、それぞれ１台を例に説明するが、それらは複数あってもよい。
【００３２】
ＭＦＰ（Multi Function Peripheral）１は、原稿を読取るためのスキャナ、画像データに基づいて紙などの記録媒体に画像を形成するための画像形成装置、ファクシミリを含み、画像読取機能、複写機能、ファクシミリ送受信機能、データをプリントするプリント機能を備えている。また、ＭＦＰ１には、着脱可能なフラッシュＲＯＭ６が装着される。このフラッシュＲＯＭ６に記憶された制御プログラムが、ＭＦＰ１が備える中央演算装置（ＣＰＵ）で実行される。なお、制御プログラムを、フラッシュＲＯＭ６から読み出すのに代えて、ＥＥＰＲＯＭ（electrically erasable/programable read only memory）に記憶するようにしてもよい。ＭＦＰ１は、ＥＥＰＲＯＭに記憶されたプログラムをＣＰＵで実行する。またこのＥＥＰＲＯＭは、記憶内容を書き換えるまたは追加して書き込みすることが可能なので、ネットワーク３に接続された他のコンピュータが、ＭＦＰ１のＥＥＰＲＯＭに記憶された画像処理プログラムを書換えたり、新たな画像処理プログラムを追加して書き込みをするようにしてもよい。さらに、ＭＦＰ１が、ネットワーク３に接続された他のコンピュータから制御プログラムをダウンロードして、その制御プログラムをＥＥＰＲＯＭに記憶するようにしてもよい。
【００３３】
メールサーバ２は、一般的なパーソナルコンピュータである。そのハード構成は周知であるので、ここでは説明を繰返さない。メールサーバ２は、ユーザ用コンピュータ４または、ＭＦＰ１から電子メールを受信して記憶する。また、ユーザ用コンピュータ４または、ＭＦＰ１から電子メールのダウンロードの要求があると、該当する電子メールをユーザ用コンピュータ４または、ＭＦＰ１に送信する。このような、メールサーバは周知なものを用いることができる。
【００３４】
ネットワーク３は、ローカルエリアネットワーク（ＬＡＮ）、インターネットまたは一般公衆回線であり、有線または無線を問わない。また、ここではネットワーク３でＭＦＰ１とメールサーバ２とが接続される例を示すが、ＭＦＰ１とメールサーバ２とユーザ用コンピュータ４とをシリアル回線またはパラレル回線を用いて接続するようにしてもよい。
【００３５】
なお、ＭＦＰ１で実行される制御プログラムはフラッシュＲＯＭ６に記憶されて流通する例を示すが、他の記録媒体、たとえば、フレキシブルディスク、カセットテープ、ＣＤ−ＲＯＭ、ハードディスク、光ディスク（ＭＯ（Magnetic Optical Disc）／ＭＤ（Mini Disc）／ＤＶＤ（Digital Versatile Disc））、ＩＣカード（メモリカードを含む）、光カード、マスクＲＯＭ、ＥＰＲＯＭ、ＥＥＰＲＯＭ、フラッシュＲＯＭなどの半導体メモリ等の固定的にプログラムを担持する媒体でもよい。
【００３６】
また、ここでいうプログラムは、ＣＰＵにより直接実行可能なプログラムだけでなく、ソースプログラム形式のプログラム、圧縮処理されたプログラム、暗号化されたプログラム等を含む。
【００３７】
本実施の形態における画像読取システム１０では、ＭＦＰ１で原稿を読取る読取条件を、ユーザ用コンピュータ４から遠隔操作で設定する。この設定には、電子メールが用いられる。ユーザ用コンピュータ４は、読取条件を含む宛先をＭＦＰ１とする電子メールを送信する。電子メールは、メールサーバを経由してＭＦＰ１で受信される。ＭＦＰ１では、受信した電子メールから読取条件を抽出する。ＭＦＰ１は、この段階では読取条件を設定するのではなく、ワンタッチキーに読取条件を割当てる。ユーザは、後に原稿を持ってＭＦＰ１の設置場所に移動し、そこでＭＦＰ１に原稿をセットしてワンタッチキーを押下すると、先にワンタッチキーに割当てられた読取条件が読み出される。
【００３８】
なお、本実施の形態においては、ＭＦＰ１を例に説明するが、少なくとも原稿を読取って画像データを出力するスキャナを有すればよい。
【００３９】
図２は、本実施の形態におけるＭＦＰ１の概略構成を示す機能ブロック図である。図２を参照して、ＭＦＰ１は、ＭＦＰ１の全体を制御するための制御部１０１と、原稿を光学的に読取って画像データを出力するスキャナ１０３と、読取条件と画像データ等を記憶するための記憶部１０５と、ユーザによる操作を受付ける操作パネル１０６と、制御部１０１をネットワーク３に接続するための通信部１０９と、紙などの記録媒体に画像を形成するための画像形成部１１１とを備える。
【００４０】
スキャナ１０３は、ＣＣＤ（Charge Coupled Device）等の光電変換素子を含み、原稿を光学的に読取って、画像データとしての電子データを出力する。スキャナ１０３から出力される画像データは、記憶部１０５に出力される。
【００４１】
操作パネル１０６は、ユーザによる操作の入力を受付けるための入力部１０８と、所定の情報を表示するための表示部１０７とを含む。
【００４２】
記憶部１０５は、ハードディスク等の記憶装置である。また、記憶部１０５に、ランダムアクセスメモリ（ＲＡＭ）等の半導体メモリを用いてもよい。記憶部１０５は、スキャナ１０３で読取られた画像データ、ＭＦＰ１に設定された読取条件、およびユーザの認証データを記憶する。認証データは、ユーザ識別情報、パスワードおよびそのユーザの電子メールアドレスとを関連付けた情報である。
【００４３】
通信部１０９は、ＭＦＰ１をネットワーク３と接続するための通信インターフェイスである。通信部１０９は、メールサーバ２と通信して、電子メールを送受信する。ＭＦＰ１には、予め定められたメールアドレスが割当てられている。通信部１０９は、所定時間間隔でメールサーバにＭＦＰ１に割当てられたメールアドレスを送信先とする電子メールの有無を問い合わせており、存在すればメールサーバ２からそれをダウンロードする。また、ＭＦＰ１は、電子メールをメールサーバ２へ送信する。さらに、ＭＦＰ１は、電子メールを受信すると、その電子メールの発信元を送信先とする電子メール（返信メール）を送信する。
【００４４】
画像形成部１１１は、スキャナ１０３で読取られた画像データ、または、通信部１０９により他のコンピュータから受信された画像データを、用紙に可視化する。
【００４５】
図３は、操作パネル１０６の平面図である。図３を参照して操作パネル１０６には、液晶タッチパネル１５０と、テンキー１５１と、セットされた数値を初期値に戻すためのクリアキー１５２と、割込コピーを実行するための割込キー１５３と、画像読取り開始を指示するためのスタートキー１５４とが設けられている。液晶タッチパネル１５０は、液晶表示装置上に、透明な部材からなるタッチパネルを積載してなる。液晶表示装置は、表示部１０７に相当する。タッチパネル、テンキー１５１、クリアキー１５２、割込キー１５３およびスタートキー１５４が入力部１０８に相当する。液晶表示装置に指示ボタンを表示させ、タッチパネルでそのボタンの指示を検出することで、種々の操作の入力が可能となる。操作パネル１０６は、ＭＦＰ１に設定された読取条件を含む画面、読取条件を設定するための画面等を表示する。
【００４６】
図４は、本実施の形態におけるＭＦＰの制御部の詳細な構成を示す機能ブロック図である。図４を参照して、制御部１０１は、通信部１０９で受信された電子メールを解析する電子メール解析部１２３と、読取条件を記憶部１０５に記憶するための読取条件記憶部１２１と、読取条件および電子メールの送信先アドレスを設定するための設定部１２５と、設定された読取条件をスキャナ１０３に出力する読取指示部１２７と、ユーザを認証するためのユーザ認証部１３７と、読取条件をワンタッチキーに関連付ける関連付部１２９と、電子メールを生成するための電子メール生成部１３１と、読取条件を表示するためのワンタッチ情報を生成するワンタッチ情報生成部１３３と、表示部１０７を制御するための表示制御部１３５とを含む。
【００４７】
電子メール解析部１２３は、通信部１０９に接続され、電子メールが入力される。電子メールには、ヘッダ部とボディ部とが含まれる。ヘッダ部には、送信先アドレス、発信元アドレス、サブジェクト、および、必要に応じて返信メールであることを示すメッセージＩＤ等が所定のフォーマットで記述される。ボディ部には、電子メールの本文が含まれる。本実施の形態においては、ユーザ用コンピュータ４から読取条件を設定するための電子メールが送信される。この電子メールのボディ部の本文には、読取条件を設定するための電子メールであることを示す識別情報と、設定する読取条件と、場合により送信先アドレスが所定のフォーマットで記述される。電子メール解析部１２３は、電子メールを解析して、本文の識別情報を検出すると、本文から送信先アドレスと読取条件とを抽出する。電子メール解析部１２３は、抽出した送信先アドレスと読取条件とを設定部１２５に出力する。
【００４８】
設定部１２５は、操作パネル１０６の入力部１０８と接続される。設定部１２５は、入力部１０８に入力された読取条件と、入力部１０８に送信先アドレスが入力された場合にはその送信先アドレスが入力される。設定部１２５は、また、電子メール解析部１２３から読取条件と、電子メールの本文に送信先アドレスが記述されている場合にはその送信先アドレスが送信先アドレスとして入力される。すなわち、設定部１２５には、操作パネル１０６および電子メール解析部１２３のいずれかから読取条件と、場合によって送信先アドレスとが入力される。設定部１２５は、読取条件を電子メール生成部１３１、関連付部１２９、読取条件記憶部１２１および読取指示部１２７に出力する。また、設定部１２５は、送信先アドレスが入力された場合には、その送信先アドレスを電子メール生成部１３１に出力する。
【００４９】
読取条件記憶部１２１は、設定部１２５から読取条件が入力される。設定部１２５から入力される読取条件は、入力部１０８からユーザにより入力された読取条件、または、電子メールから抽出された読取条件である。読取条件記憶部１２１は、記憶部１０５と接続され、入力された読取条件を記憶部１０５に記憶する。また、読取条件記憶部１２１は、設定部１２５から読取条件に加えて送信先アドレスが入力された場合には、入力された読取条件を送信先アドレスと関連付けて記憶部１０５に記憶する。
【００５０】
ユーザ認証部１３７は、入力部１０８および記憶部１０５と接続される。ユーザ認証部１３７は、ユーザにより入力部１０８から入力されたユーザ識別情報およびパスワードを、記憶部１０５に予め記憶されたユーザ識別情報およびパスワードと比較する。比較の結果、両者が一致すれば真のユーザと判定し、一致しなければ真のユーザとは判定しない。ユーザ認証の結果は、関連付部１２９に出力される。
【００５１】
関連付部１２９は、設定部１２５から読取条件が入力され、ユーザ認証部１３７から認証結果が入力される。関連付部１２９は、入力された読取条件を、入力部１０８のワンタッチキーと関連付ける。ワンタッチキーは、ボタンアドレスが予め定められており、関連付部１２９は、記憶部１０５に既に記憶されている読取条件にボタンアドレスを関連付けて記憶する。ボタンアドレスと読取条件との関連付は、読取条件が記憶部１０５に記憶されているアドレスをワンタッチキーのボタンアドレスに関連付けることを含む。なお、認証結果が真のユーザであることを条件に、関連付部１２９は、入力された読取条件を、入力部１０８のワンタッチキーと関連付けるようにしてもよい。
【００５２】
ワンタッチ情報生成部１３３は、入力部１０８でワンタッチキーの押下が検出されると、そのワンタッチキーのボタンアドレスが入力される。そして、記憶部１０５からボタンアドレスに関連付けて記憶されている読取条件を読み出す。そして、読み出した読取条件を表示するためのワンタッチ情報を生成する。ワンタッチ情報生成部１３３は、生成したワンタッチ情報を表示制御部１３５に出力する。表示制御部１３５は、表示部１０７を制御し、表示部１０７に表示する情報を切換える。表示制御部１３５は、ワンタッチ情報生成部１３３からワンタッチ情報が入力されると、そのワンタッチ情報を表示部１０７に表示するよう表示部１０７を制御する。
【００５３】
読取指示部１２７は、設定部１２５から入力される読取条件をスキャナ１０３に出力する。そして、入力部１０８からの指示に応じて、スキャナ１０３を起動する。これにより、スキャナ１０３は、読取条件に従って、原稿を読取って画像データを出力する。入力部１０８からの指示とは、スタートキー１５４の押下である。また、読取指示部１２７は、入力部１０８でワンタッチキーの押下が検出されると、そのワンタッチキーのボタンアドレスが入力される。そして、記憶部１０５からボタンアドレスに関連付けて記憶されている読取条件を読み出し、スキャナ１０３に出力する。さらに、入力部１０８からの指示に応じて、スキャナ１０３を起動する。
【００５４】
電子メール生成部１３１は、スキャナ１０３と接続される。電子メール生成部１３１には、設定部１２５から読取条件および送信先アドレスが入力される。電子メール生成部１３１は、スキャナから画像データが入力されると、既に設定部１２５から入力された送信先アドレスをヘッダ部に記述し、読取条件を所定のフォーマットに変換してボディ部の本文に記述し、その画像データを添付ファイルとした電子メールを生成する。そして生成した電子メールを通信部１０９に出力する。
【００５５】
通信部１０９は、電子メール生成部１３１から入力される電子メールを、メールサーバ２へ送信する。
【００５６】
図５は、電子メールのボディ部本文のフォーマットの一例を示す図である。ＭＦＰ１が受信する電子メールと、ＭＦＰ１が送信する電子メールのボディ部の本文は、このフォーマットで記述される。このため、電子メール解析部１２３は、このフォーマットに従って、送信先アドレスと読取条件を本文から抽出し、電子メール生成部１３１はこのフォーマットに従って読取条件を記述した本文を生成する。
【００５７】
図５を参照して、読取条件のフォーマットは、読取条件を設定するための電子メールであることを示す識別情報を記述する領域と、設定する読取条件を記述する領域と、送信先アドレスを記述する領域とが含まれる。ここでは、読取条件を設定するための電子メールであることを示す識別情報を＜＜ＭＦＰＳｃａｎＭｏｄｅ＞＞の文字列としている。この識別情報は、ＭＦＰ１が電子メールを受信して実行する処理が複数種類あることに備えて、読取条件を設定するために用いる電子メールであることをＭＦＰ１が検出することができるようにするためである。なお、この識別情報は、電子メールのボディ部に記述するのではなく、ヘッダ部のサブジェクト（Ｓｕｂｊｅｃｔ）に記述するようにしてもよい。
【００５８】
識別情報の次には、読取条件が記述される。読取条件は、複数ある読取条件のうちから１つを特定するために予め定められた文字列とその設定値との組み合わせで記述される。解像度の読取条件に対しては、文字列「Ｒｅｓｏｌｕｔｉｏｎ」と値［６００］が記述されている。原稿サイズに対して、文字列「ＯｒｉｇｉｎａｌＳｉｚｅ」と値［Ａ４］が記述されている。濃度の読取条件に対しては、文字列「ＩｍａｇｅＤｅｎｓｉｔｙ」と値「３」が記述されている。
【００５９】
読取条件の次には、送信先アドレスが記述される。送信先アドレスは、送信先アドレスが記述されることを示す予め定められた文字列「Ｄｅｓｔｉｎａｔｉｏｎ」と値［ｕｓｅｒ＠ａｂｃ．ｃｏ．ｊｐ］が記述されている。なお、この送信先アドレスの記述は任意である。
【００６０】
図６は、ワンタッチ情報の一例を示す図である。図６を参照して、ワンタッチ情報２００は、ワンタッチキー２０１と、状態表示領域２０２と、読取条件表示領域２０３，２０４，２０５と、送信先表示領域２０６とを含む表示画面である。また、図６では、ワンタッチ情報２００の上部に、「アドレス入力」の文字列を含む遷移ボタン２１１と、「マニュアル設定」の文字列を含む遷移ボタン２１２とを含む。遷移ボタン２１１は、電子メールの送信先アドレスを入力するためのアドレス入力画面に切換えるための遷移ボタンである。遷移ボタン２１２は、手作業で読取条件を設定するためのマニュアル設定画面に切換えるための遷移ボタンである。表示部１０７に、アドレス入力画面またはマニュアル設定画面が表示されている場合には、ワンタッチ情報１００の一部であるワンタッチキー２０１が表示部１０７に表示される。アドレス入力画面またはマニュアル設定画面が表示されている状態におけるワンタッチキー２０１は、表示部１０７にワンタッチ情報２００を表示させるための遷移ボタンとなる。
【００６１】
読取条件表示領域２０３は、スキャナ１０３が原稿を読取る際の解像度の読取条件を表示する領域である。読取条件表示領域２０４は、スキャナ１０３が原稿を読取る際の原稿のサイズを表示する領域である。読取条件表示領域２０５は、スキャナ１０３が原稿を読取る際の濃度の読取条件を表示する領域である。
【００６２】
送信先表示領域２０６は、電子メールの送信先の電子メールアドレスを表示するための領域である。送信先表示領域２０６は、複数の電子メールアドレスを表示可能であり、送信先アドレスに設定されている電子メールアドレスが他とは異なる態様で表示される。図６では、設定されている電子メールアドレスが反転表示で示されている。ＭＦＰ１は、記憶部１０５に、予め電子メールアドレスを記憶している。送信先表示領域２０６には、記憶部１０５に記憶された電子メールアドレスが表示される。ワンタッチ情報生成部１３３が記憶部１０５から読取条件を読み出した際に、その読取条件に送信先アドレスが関連付けられている場合には、その送信先アドレスが他とは異なる態様で表示される。
【００６３】
図７は、本実施の形態におけるＭＦＰで実行される電子メール受信処理の流れを示すフローチャートである。図７を参照して、まず、電子メールが受信されたか否かが判断される（ステップＳ０１）。電子メールが受信された場合にはステップＳ０２へ進み、受信されない場合には待機状態となる。すなわち、電子メール受信処理は、電子メールが受信された場合に実行される処理である。ステップＳ０１で受信される電子メールは、読取条件を設定するための電子メールに限らず、返信メール、他の用途の電子メールを含む。
【００６４】
ステップＳ０２では、受信された電子メールが読取条件を設定するためのものか否かが判断される。具体的には、受信された電子メールのボディ部の本文に、読取条件を設定するための電子メールであることを示す識別情報＜＜ＭＦＰＳｃａｎＭｏｄｅ＞＞が含まれるか否かを判断する。真の場合にはステップＳ０３へ進み、偽の場合にはステップＳ０７に進む。ステップＳ０７では、電子メールに対応するその他の処理が実行される。
【００６５】
ステップＳ０３では、受信した電子メールを解析する。上述したフォーマットにしたがって受信した電子メールのボディ部の本文が解析され、読取条件が抽出される。また、送信先アドレスが記述されている場合には、その送信先アドレスが抽出される。
【００６６】
そして、抽出された読取条件が記憶部１０５に記憶される（ステップＳ０４）。送信先アドレスが抽出された場合には、読取条件と送信先アドレスとが関連付けられて記憶される。さらに、次のステップＳ０５では、ワンタッチ情報が生成される。ワンタッチ情報は、たとえば図６に示した読取条件を表示するための画面である。生成されたワンタッチ情報は、記憶部１０５に記憶される。
【００６７】
そして、抽出された読取条件が、入力部１０８のワンタッチキーと関連付けられる。具体的には、ワンタッチキーに予め定められたボタンアドレスが、ステップＳ０４で記憶部１０５に記憶された読取条件と関連付けられて記憶部１０５に記憶される。
【００６８】
電子メール受信処理は、ＭＦＰ１で電子メールが受信されるごとに実行されるため、読取条件を設定するための電子メールが受信されるごとに、読取条件が更新される。なお、ＭＦＰ１は、読取条件を設定するための電子メールを受信するごとに、読取条件を記憶するようにしてもよい。この場合には、記憶された読取条件の数だけワンタッチ情報が生成される。このため、記憶された読取条件の数だけワンタッチキーが必要になる。
【００６９】
＜電子メール受信処理の変形例＞
電子メール受信処理の変形例は、ユーザごとに読取条件を有効にする処理である。図８は、変形された電子メール受信処理の変形例の流れを示す第１のフローチャートである。図８を参照して、電子メール受信処理の変形例は、図７に示した電子メール受信処理と異なる点は、ステップＳ０５とステップＳ０６との間にステップＳ１１が追加された点である。ステップＳ１１では、ステップＳ０１で受信された電子メールの発信アドレスが、ＭＦＰ１に現在ログインしているユーザの電子メールアドレスと一致するか否かが判定される。真の場合にはステップＳ０６に進み、偽の場合はステップＳ０６をスキップして処理を終了する。ここで、ユーザのＭＦＰ１へのログインとは、ユーザがＭＦＰ１の入力部１０８から入力したユーザ識別情報とパスワードとがユーザ認証部１３７で認証されてから、ユーザがＭＦＰ１の入力部１０８からログアウトの指示を入力するまでの状態をいう。本実施の形態におけるＭＦＰ１では、１人のユーザのログインのみを可能としている。したがって、ＭＦＰ１が読取条件を関連付けるワンタッチキーを１つのみしか有しない場合には、ＭＦＰ１はログインしているユーザが設定した読取条件のみをそのワンタッチキーに関連付けることができる。
【００７０】
また、ログインしていないユーザが電子メールを送信した場合には、その電子メールから抽出された読取条件は、ステップＳ０４で記憶部１０５に記憶される。しかしながら、ワンタッチキーには関連付けられていない。この状態でそのユーザが次にＭＦＰ１にログインした場合に、記憶部１０５に記憶された読取条件をワンタッチキーに関連付ける処理が実行される。
【００７１】
図９は、ユーザがＭＦＰにログインする際に実行される処理の流れを示すフローチャートである。図９を参照して、ステップＳ２１では、ユーザ認証が実行される。そのユーザが認証されれば、ユーザはＭＦＰ１へログインすることとなる。そして、ログインしたユーザの読取条件が記憶部１０５に記憶されているか否かが判断される（ステップＳ２２）。記憶されている場合にはステップＳ２３に進み、そうでない場合にはステップＳ２３をスキップして処理を終了する。図８のステップＳ０４では、電子メールから抽出された読取条件を送信先アドレスと関連付けて記憶していた。ステップＳ２３では、ログインユーザの電子メールアドレスが記憶部１０５に記憶された認証データから読み出され、その電子メールアドレスと関連付けられて記憶部１０５に記憶されている読取条件が抽出される。ステップＳ２２では、そのような読取条件が抽出された場合にステップＳ２３に進み、抽出されない場合に処理を終了する。
【００７２】
ステップＳ２３では、ステップＳ２２で読み出された読取条件をワンタッチキーに関連付ける。この処理は、図８のステップＳ０６と同様の処理である。
【００７３】
ログイン処理では、ユーザがＭＦＰ１にログインしていない場合であっても、読取条件を設定するための電子メールをユーザ用コンピュータ４からＭＦＰ１に送信した後に、原稿を持ってＭＦＰ１の設置場所まで移動し、ＭＦＰ１にログインすれば、ワンタッチキーに読取条件が関連付けられる。このため、ユーザはワンタッチキーを指示するだけで、予め定めた読取条件で原稿を読取ることができる。
【００７４】
図１０は、本実施の形態におけるＭＦＰで実行される読取処理の流れを示すフローチャートである。図１０を参照して、ＭＦＰ１は、操作パネル１０６の表示部１０７にマニュアル設定画面を表示する（ステップＳ３１）。ＭＦＰ１は、電源投入直後にはマニュアル設定画面を表示部１０７に表示する。マニュアル設定画面は、読取条件をユーザが指定するための画面である。読取条件は、読取解像度、原稿のサイズ、読取濃度を含む。ＭＦＰ１に電源が投入された直後、または、クリアキー１５２が押下されると、読取条件として予め定められた初期値を表示するマニュアル設定画面が表示部１０７に表示される。表示部１０７にはマニュアル設定画面とワンタッチキー２０１が表示される。
【００７５】
次のステップＳ３２では、ワンタッチキー２０１が押下されたか否かが判断される。ワンタッチキーが押下された場合にはステップＳ３３に進み、そうでない場合にはステップＳ３５に進む。ステップＳ３５では、ユーザによる読取条件の設定が受付けられる。上述したように、表示部１０７にはマニュアル設定画面が表示されているため、ユーザはこのマニュアル設定画面に従って、そこに表示されている初期値を変更することにより、読取条件を設定する。
【００７６】
ステップＳ３３では、ＭＦＰ１はワンタッチ情報を表示する。ここでは、図６に示したワンタッチキーに関連付けられた読取条件を表示する画面が表示部１０７に表示される。そして、ワンタッチ−に対応する読取条件が設定される（ステップＳ３４）。記憶部１０５は、ワンタッチキーに予め割当てられたボタンアドレスと、読取条件とが関連付けられて記憶されていた。ＭＦＰ１は、入力部１０８でワンタッチキー２０１の押下を検出すると、そのボタンアドレスから読取条件を記憶部から読み出し、読み出した読取条件を設定する。なお、読取条件が記憶部１０５の予め定められたアドレスに記憶される場合には、ＭＦＰ１は、ワンタッチキーの押下の検出により、そのアドレスに記憶されている読取条件を読み出して設定する。
【００７７】
次に、操作パネル１０６のスタートキー１５４が押下されたか否かが判断される（ステップＳ３６）。押下された場合にはステップＳ３７に進み、そうでない場合には待機状態となる。即ち、スタートキー１５４が押下されるまで、ステップＳ３５におけるユーザによる読取条件の設定が可能である。また、ワンタッチ情報を見たユーザが、読取条件を変更することができるようにしてもよい。
【００７８】
ステップＳ３７では、ステップＳ３４またはステップＳ３５で設定された読取条件に従って、原稿が読取られる。具体的には、読取指示部１２７が、読取条件をスキャナ１０３に出力し、スキャナを起動する。
【００７９】
読取処理では、原稿を読取って画像データが取得される。この画像データは、たとえば、画像形成部１１１に出力されてプリントされる場合、記憶部１０５に記憶される場合、通信部１０９に出力されて他の装置に送信される場合とがある。ここでは、画像データを他の装置に送信する読取送信処理について説明する。
【００８０】
図１１は、本実施の形態におけるＭＦＰで実行される読取送信処理の流れを示すフローチャートである。図１１を参照して、通信部１０９で電子メールを受信したか否かが判断される（ステップＳ４１）。電子メールが受信された場合にはステップＳ４３に進み、そうでない場合にはステップＳ４２へ進む。ステップＳ４２では、図１０を用いて説明した読取処理が実行され、原稿を読取った後ステップＳ４５に進む。
【００８１】
一方ステップＳ４３では、図７を用いて説明した電子メール受信処理が実行される（ステップＳ４３）。そして、受信した電子メールから抽出された読取条件で、原稿が読取られる（ステップＳ４４）。その後、ステップＳ４５に進む。
【００８２】
ステップＳ４５では、電子メールの本文が作成される。本文の作成は、読取条件を図５に示したフォーマットで記述することである。電子メールが受信された場合には、ステップＳ４３で実行される電子メール受信処理でその電子メールの本文から抽出された読取条件である。また、電子メールが受信されなかった場合には、ステップＳ４２で実行される読取処理において設定される読取条件、すなわち、ユーザによるワンタッチキーの押下があった場合にはそのワンタッチキーに関連付けられた読取条件であり、ワンタッチキーの押下がなかった場合にはマニュアル設定画面に入力された読取条件である。
【００８３】
そして、原稿を読取って得られた画像データを電子メールの添付ファイルに設定する（ステップＳ４６）。さらに、電子メールのヘッダ部の送信先に、送信先アドレスを設定する（ステップＳ４７）。送信先アドレスは、電子メールが受信された場合には、ステップＳ４３で実行される電子メール受信処理でその電子メールの本文から抽出された送信先アドレスである。また、電子メールが受信されなかった場合には、ステップＳ４２で実行される読取処理において設定される送信先アドレス、すなわち、ユーザによるワンタッチキーの押下があった場合にはそのワンタッチキーに関連付けられた送信先アドレスであり、ワンタッチキーの押下がなかった場合にはマニュアル設定画面に入力された送信先アドレスである。
【００８４】
次のステップＳ４８では、生成された電子メールが通信部１０９からメールサーバ２へ送信される。設定する送信先アドレスを、ユーザに予め割当てられた電子メールアドレスとすれば、ユーザはユーザ用コンピュータ４にその電子メールをメールサーバ２からダウンロードさせることができる。このため、ユーザはユーザ用コンピュータ４のディスプレイに、読取条件と画像データとを表示させることができる。このため、読取った画像データを見て、読取条件を評価することができる。より画像データの画質を向上させたいと望む場合、逆に、画像データの画質を低下させてデータ量を少なくすることを望む場合等には、それらに対応する読取条件を記述した返信用の電子メール（返信メール）を作成してＭＦＰ１宛てに送信すれば、変更後の読取条件で読取った画像データを受信することができる。
【００８５】
ステップＳ４９では、ステップＳ４８で送信した電子メールに対応する返信メールを受信したか否かが判断される。返信メールを受信した場合には、ステップＳ４３に進み、そうでない場合には処理を終了する。返信メールの判定は、受信した電子メールのヘッダ部の”ｉｎ−Ｒｅｐｌｙ−ｔｏ：”に記述されたメッセージＩＤから判断される。
【００８６】
以上説明したように本実施の形態におけるＭＦＰ１は、ユーザ用コンピュータ４が送信する電子メールが受信されると、その電子メールに含まれる読取条件にワンタッチキーを関連付ける。このため、読取条件をユーザ用コンピュータ４から設定することができる。また、ユーザ用コンピュータ４には、電子メールを送信するためのプログラムをインストールすればよく、ＭＦＰ１に読取条件を設定するための特別なプログラムをインストールする必要がない。
【００８７】
また、ＭＦＰ１は、読取条件を本文とし、画像データを添付ファイルとした電子メールを生成して、送信先アドレス宛てに送信するので、ユーザは、画像データを見て読取条件を評価することができる。
【００８８】
さらに、送信した電子メールに対応する返信メールが受信されると、返信メールから抽出した読取条件とワンタッチキー２０１とを関連付けるので、先の読取条件で読取った画像データを見たユーザが、変更した読取条件をワンタッチキー２０１に設定することができる。
【００８９】
さらに、ＭＦＰ１は、ワンタッチキー２０１が押下されると、そのワンタッチキー２０１に関連付けられた読取条件を表示するための画面（ワンタッチ情報）を表示するので、ユーザは、画面で読取条件を確認することができる。
【００９０】
さらに、ＭＦＰ１は、ワンタッチキーが押下されて、スタートキー１５４が押下されると、読取条件をスキャナに出力するので、ユーザは、所望の読取条件で原稿を読取らせることができる。
【００９１】
さらに、ＭＦＰ１は、ユーザがログインしたことを条件として、読取条件をワンタッチキー２０１に関連付けるので、ユーザ個々に読取条件をワンタッチキー２０１に対応付けることができる。
【００９２】
なお、本実施の形態においては、ＭＦＰ１について説明したが、ＭＦＰ１で実行される制御プログラム、または、ＭＦＰ１で実行される制御方法として発明を捉えることができる。
【００９３】
さらに、上述した実施の形態には次の発明も含まれる。
【００９４】
（１）  与えられた読取条件に従って、原稿を読取り画像データを出力する読取手段と、ユーザによる指示の入力を受付けるユーザインターフェース手段と、電子メールを送受信する電子メール送受信手段とを備えた画像読取装置を制御するための制御プログラムであって、
読取条件と送信先アドレスとを設定するステップと、
前記設定された読取条件を前記読取手段に与えて前記読取手段に画像データを出力させるステップと、
前記読取手段に与えた読取条件を本文とし、前記読取手段が出力する画像データを添付ファイルとし、前記設定された送信先アドレスを送信先とする電子メールを生成して前記電子メール送受信手段に出力するステップと、
前記電子メール生成手段が生成した電子メールに対応する返信メールを受信するステップと、
前記受信された返信メールを解析して読取条件を抽出するステップと、
前記ユーザインターフェース手段が備えるワンタッチキーと前記返信メールから抽出された読取条件とを関連付けるステップとを前記画像読取装置に実行させる、制御プログラム。
【００９５】
（２）  与えられた読取条件に従って、原稿を読取り画像データを出力する読取手段と、ユーザによる指示の入力を受付けるユーザインターフェース手段と、電子メールを送受信する電子メール送受信手段とを備えた画像読取装置を制御するための制御方法であって、
読取条件と送信先アドレスとを設定するステップと、
前記設定された読取条件を前記読取手段に与えて前記読取手段に画像データを出力させるステップと、
前記読取手段に与えた読取条件を本文とし、前記読取手段が出力する画像データを添付ファイルとし、前記設定された送信先アドレスを送信先とする電子メールを生成して前記電子メール送受信手段に出力するステップと、
前記電子メール生成手段が生成した電子メールに対応する返信メールを受信するステップと、
前記受信された返信メールを解析して読取条件を抽出するステップと、
前記ユーザインターフェース手段が備えるワンタッチキーと前記返信メールから抽出された読取条件とを関連付けるステップとを前記画像読取装置に実行させる、制御方法。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９７】
【図１】本発明の実施の形態の１つにおける画像読取システムの全体概要を示す図である。
【図２】本実施の形態におけるＭＦＰの概略構成を示す機能ブロック図である。
【図３】操作パネルの平面図である。
【図４】本実施の形態におけるＭＦＰの制御部の詳細な構成を示す機能ブロック図である。
【図５】電子メールのボディ部本文のフォーマットの一例を示す図である。
【図６】ワンタッチ情報表示画面の一例を示す図である。
【図７】本実施の形態におけるＭＦＰで実行される電子メール受信処理の流れを示すフローチャートである。
【図８】変形された電子メール受信処理の変形例の流れを示す第１のフローチャートである。
【図９】ユーザがＭＦＰにログインする際に実行される処理の流れを示すフローチャートである。
【図１０】本実施の形態におけるＭＦＰで実行される読取処理の流れを示すフローチャートである。
【図１１】本実施の形態におけるＭＦＰで実行される読取送信処理の流れを示すフローチャートである。
【符号の説明】
【００９８】
１  ＭＦＰ、２  メールサーバ、３  ネットワーク、４  ユーザ用コンピュータ、１０  画像読取システム、１０１  制御部、１０３  スキャナ、１０５  記憶部、１０６  操作パネル、１０７  表示部、１０８  入力部、１０９  通信部、１１１  画像形成部、１２１  読取条件記憶部、１２３  電子メール解析部、１２５  設定部、１２７  読取指示部、１２９  関連付部、１３１  電子メール生成部、１３３  ワンタッチ情報生成部、１３５  表示制御部、１３７  ユーザ認証部、１３７  入力部、１５４  スタートキー、２００  ワンタッチ情報、２０１  ワンタッチキー。
【図１】
2005286563.tif 000003
【図２】
2005286563.tif 000004
【図３】
2005286563.tif 000005
【図４】
2005286563.tif 000006
【図５】
2005286563.tif 000007
【図６】
2005286563.tif 000008
【図７】
2005286563.tif 000009
【図８】
2005286563.tif 000010
【図９】
2005286563.tif 000011
【図１０】
2005286563.tif 000012
【図１１】
2005286563.tif 000013